(57)【特許請求の範囲】
【請求項１】
筐体内に設置したブレーカ又は母線バーと入力電源線を接続する電源引込用導電バーの電源側接続端子を筐体の外部に突出させて設けた筐体への電線引込構造であって、
前記電源側接続端子は前記筐体の背面に取り付けた導電バーケースに格納したものとし、また、該導電バーケースに入線口を設けると共に側面を開口させたケース本体と該開口を施蓋するカバー部材とにより構成し、さらに、各相の電源側接続端子を筐体の奥行方向の異なる位置に配置したことを特徴とする筐体への電線引込構造。
【請求項２】
各相の電源引込用導電バーの間に絶縁隔壁を設けた請求項１に記載の筐体への電線引込構造。
【発明の詳細な説明】
【技術分野】
【０００１】
本発明は、筐体内に設置した主幹ブレーカ又は母線バーと入力電源線とを接続するための筐体への電線引込構造に関するものである。
【背景技術】
【０００２】
従来の筐体への電線引込構造は、筐体に設けた孔部から入力電源線を筐体内に引き込んで主幹ブレーカ又は母線バーと接続するものである（例えば、特許文献１参照）。
【特許文献１】特開平７−２４１００６号公報
【０００３】
しかし、この従来のものは、入力電源線を筐体内部で主幹ブレーカや母線バーと接続する必要があるため、接続作業や配線を引き廻すための余分なスペースを筐体内部に設ける必要があり、その分筐体全体が大型化するという問題点があった。また、筐体内部での配線作業はスペースが限られており、作業性の悪いものであった。
【発明の開示】
【発明が解決しようとする課題】
【０００４】
本発明は前記のような従来の問題点を解決して、筐体内に設置したブレーカ又は母線バーと入力電源線との接続を容易とした筐体への電線引込構造を提供することである。
【課題を解決するための手段】
【０００５】
本発明の筐体への電線引込構造は、筐体内に設置したブレーカ又は母線バーと入力電源線を接続する電源引込用導電バーの電源側接続端子を筐体の外部に突出させて設けた筐体への電線引込構造であって、前記電源側接続端子は前記筐体の背面に取り付けた導電バーケースに格納したものとし、また、該導電バーケースに入線口を設けると共に側面を開口させたケース本体と該開口を施蓋するカバー部材とにより構成し、さらに、各相の電源側接続端子を筐体の奥行方向の異なる位置に配置したことを特徴とするものを請求項１に記載の発明としたものである。
【０００６】
そして、この請求項１に記載の発明において、各相の電源引込用導電バーの間に絶縁隔壁を設けたものを請求項２に記載の発明としたものである。
【発明の効果】
【０００７】
前記した請求項１に記載の筐体への電線引込構造は、筐体内に設置したブレーカ又は母線バーと入力電源線を接続する電源引込用導電バーの電源側接続端子を筐体の外部に突出させて設けたものであるから、この外部に突出させて設けた電源側接続端子に入力電源線を接続すればよいので、接続作業や配線を引き廻すための余分なスペースが不要となり、筐体全体を大型する必要がないもので、スペースの狭い箇所に設置できる利点があり、また、筐体の材料費も削減できるものである。さらに、作業スペースが広くとれる筐体の外側で接続作業を行うので作業も容易なものである。さらに、各相の電源側接続端子を筐体の奥行方向の異なる位置に配置しているので、接続作業がさらに容易なものとなる。
【０００８】
次に、請求項２に記載の筐体への電線引込構造は、各相の電源引込用導電バーの間に絶縁隔壁を設けることにより、各相の電源側接続端子に接続する入力電源線に取り付けた圧着端子のサイズが大きなもので圧着端子間の間隔が狭くなっても絶縁を充分に確保できるものである。
【発明を実施するための最良の形態】
【０００９】
次に、本発明の好ましい実施の形態を図に基づき説明する。
【００１０】
〔第１の実施形態〕
先ず、図１〜図７に示す小型の筐体からなるブレーカユニットを複数個組み合わせたことで構成されるユニットタイプの分電盤について説明する。
１はブレーカユニットであり、該ブレーカユニット１は、図２に示すように、筐体１１のブレーカ取付基台１１ａにブレーカ２を取り付けたものであり、該ブレーカ取付基台１１ａにはヒンジ部をもって開閉自在とした逆箱状の蓋部１１ｂが設けられている。なお、蓋部１１ｂはヒンジ連結することなく取り外し自在としてもよいし、さらに、ブレーカ取付基台１１ａを箱状とし、蓋部１１ｂを板状としてもよい。
【００１１】
また、図３に示すように、ブレーカ取付基台１１ａの下面には、幹線バーケース１３を設け、該幹線バーケース１３の一端面側から前記ブレーカ２の一次側又は二次側に接続した短い母線バー１４の接続プラグ端子部１４ａを張設するとともに、該一端面側に対向した他端面内側に前記接続プラグ端子部１４ａと同一形状のプラグ端子部を嵌合するプラグ端子受部１４ｂを前記短い母線バー１４に設けてなるものである。さらに、短い母線バー１４には後述するプラグインアダプタ８の下端面から突設したプラグ端子８１を挟持するプラグ端子受部１４ｃが設けられている。なお、前記幹線バーケース１３は、短い母線バー１４を収納する浅箱状の幹線バーケース本体１３ａと該幹線バーケース本体１３ａの上部開口を閉塞する蓋部１３ｂより構成して、該蓋部１３ｂをブレーカ取付基台１１ａの下面に位置するものとし、蓋部１３ｂの一部をブレーカ取付基台１１ａと一体としている。
【００１２】
また、図４に示すように、前記幹線バーケース１３は短い母線バー１４の接続プラグ端子部１４ａを張設する一端面側を、筐体１１の一端面側からプラグ端子部１４ａの長さ分を内側に位置させ、他方、該一端面側に対向した他端面をその分筐体１１の他端面側から外側に位置させて、接続プラグ端子部１４ａの上端側が庇状となる筐体１１の一端面側により覆われるものとしている。
【００１３】
さらに、図５に示すように、幹線バーケース１３の一端面側に対向した他端面側の蓋部１３ｂは筐体１１の他端面側の下方から露出するので、プラグ端子受部１４ｂを該蓋部１３ｂの上側から設けた切り込み孔１３ｃに臨むように設ければ、隣り合うこととなるブレーカユニット１の各短い母線バー１４の接続プラグ端子部１４ａとプラグ端子受部１４ｂの接続が容易であるうえ、接続プラグ端子部１４ａが露出することがないので絶縁が確保できるものである。
【００１４】
ブレーカ２は、図６、図７に示すように、プラグインアダプタ８に搭載して一次側の端子部と接続した該プラグインアダプタ８の下端面から突設したプラグ端子８１を前記ブレーカ取付基台１１ａ及び蓋部１３ｂに透設した差し込み孔を介して貫通させて、幹線バー１４に設けたクリップ状のプラグ端子受部１４ｃに挟持させて、ブレーカ２と短い母線バー１４の接続をプラグ端子８１により行っている。なお、プラグインアダプタ８を介することなくブレーカ２の裏面に直接プラグ端子８１を突設したものであってもよい。また、プラグインによらず被覆電線によりネジ止め等の手段によりブレーカ２と短い母線バー１４の接続を行ってもよい。
【００１５】
一方、図１に示すように、１００は前記ブレーカユニット１を複数着脱自在に取付できるユニット取付レールである。ユニット取付レール１００は外鍔１０１ａ付の断面コ字型のレール本体１０１を基台１０２に縦長方向に立設させた自立型のものであるが、基台を設けることなくレール本体１０１を建屋の壁面や柱に取り付けたものであってもよい。
【００１６】
また、ユニット取付レール１００の最上部に位置するブレーカユニット１ａは、主幹ブレーカ用のブレーカユニットであり、図８、に示すように、主幹ブレーカ２ａを取り付けるための板状のブレーカ取付基台１１ａと、該ブレーカ取付基台１１ａの前面を覆う逆箱状の蓋部１１ｂよりなる筐体１１に、前記ブレーカ取付基台１１ａの背面側に短い母線バー１４を設置するための浅箱状の幹線バーケース１３を設けたものである。図９に示すように、前記短い母線バー１４は主幹ブレーカ２ａの負荷側端子部２１と導電バー１２により接続されており、また、前記短い母線バー１４の端部には幹線バーケース１３の側面板に設けた貫通孔から臨むクリップ状の接続部１４ｂを設けて、前述したブレーカユニット１の接続プラグ端子部１４ａを接続することによりユニットタイプの分電盤を構成している。
【００１７】
そして、前記ブレーカユニット１を主幹用のブレーカユニット１ａの下方に順次ブレーカユニット１を隣り合うこととなる各短い母線バー１４のプラグ端子部１４ａとプラグ端子受部１４ｂを接続してユニット取付レール１００に取り付ければ必要な回路数に応じた分岐用のブレーカの増設ができるものである。しかも、分岐用のブレーカの増設は部品点数が少なく構造が簡単で安価に製造できるユニット取付レール２にブレーカユニット１を取り付けることで行えるので初期投資を軽減できる効果がある。また、ブレーカ２は筐体１１に収納されているうえ各短い母線バー１４は幹線バーケース１３に格納されているので導電部が露出されておらず安全上及び保安上も優れたものである。また、分岐用のブレーカを削減する場合にはブレーカユニット１を取り外すことにより不要な導電部を残すことなく行えるので絶縁処理等の後処理が不要なものである。
【００１８】
次に、このようなブレーカユニット１を複数個を組み合わせたユニットタイプの分電盤への電線引込構造を説明する。
【００１９】
図８〜図１５に示すように、主幹ブレーカ用の筐体１１の背面側の外部には、前記主幹ブレーカ２ａの３個の電源側端子部２２とこれと対応する３本の入力電源線４とを接続するための３本の電源引込用導電バー５の電源側接続端子５ａが突出させて設けられている。３本の各電源引込用導電バー５は主幹ブレーカ２ａの電源側端子部２２と接続する負荷側接続端子５ｂと前記電源側接続端子５ａを両側に設けたものであり、筐体１１から突出させた部分は導電バーケース６に格納されている。
【００２０】
前記導電バーケース６は、筐体１１の背面に突出させて取り付けた側面を開口させたケース本体６１と該開口を施蓋するカバー部材６２とよりなる。そして、ケース本体６１に前記３本の電源引込用導電バー５が上下に平行として電源側接続端子５ａが長さ方向に異なるように上方に位置する電源引込用導電バー５が長く下方に向かう位置ほど短く構成して配置されている。これにより導電バーケース６の下端に設けた入線口６３から各電源側接続端子５ａへの入力電源線４の引込みには他の電源引込用導電バー５が干渉することなく容易に行えるものである。
【００２１】
また、図１６に示すように導電バーケース本体には前記筐体１１の外部に突出させた電源引込用導電バー５の各相の間に絶縁隔壁７を設けている。この絶縁隔壁７は上部と中間部の電源引込用導電バー５、５の間と、中間部と下部の電源引込用導電バー５、５の間に介在させる２枚の絶縁横板部７１、７１と上部と中間部の電源引込用導電バー５、５の側面を覆う絶縁側板部７２、７２を一体としたもので、各電源引込用導電バー５の電源側接続端子５ａのみが露出するものとしている。そして、各絶縁横板部７１、７１の先端側下方に溝部７１ａが設けて、該溝部７１ａに垂直絶縁板７３が着脱自在に取り付けられている。
【００２２】
なお、上記実施形態の筐体の電線引込構造では短い母線バーを内蔵したブレーカユニットを複数個連結した分電盤で説明したが、本発明はこれに限定されるものではない。また、主幹ブレーカを設置せず、電源引込用導電バーを母線バーに直接接続してよいことは勿論である。
【００２３】
このように構成されたものは、主幹ユニット用の筐体１１内に設置した主幹ブレーカ２ａと入力電源線４を接続する電源引込用導電バー５の電源側接続端子５ａを筐体１１の外部に突出させて設けたものであるから、この外部に突出させて設けた電源側接続端子５ａに入力電源線４を接続すればよいので、筐体内に接続作業や配線を引き廻すための余分なスペースを設ける必要がないので筐体全体を大型する必要がないのである。また、筐体１１の外側で入力電源線４の接続作業を行うので作業も容易なものである。
【００２４】
〔第２の実施形態〕
続いて、第２の実施形態を図１７〜図１９に示す同一の筐体内に主幹ブレーカと分岐用ブレーカを設置した一体型の分電盤の筐体への電線引込構造により説明する。
１は分電盤の筐体であり、該筐体１１の背面には図１８に示すように垂直に母線バー３が３本平行に設けられている。この母線バー３には図１９に示すような底面にプラグ端子８１を有するプラグインアダプタ８に搭載された分岐用ブレーカ９が複数個配置されており、該分岐用ブレーカ９の電源側端子はプラグインアダプタ８に埋め込んだ導電バーを介してプラグ端子８１に電気的に接続されている。
【００２５】
また、図１７に示すように母線バー３の最上端部には主幹ブレーカ２ａが配置されており、該主幹ブレーカ２ａの負荷側端子部は前記母線バー３と接続されている。そして、前記主幹ブレーカ２ａの３個の電源側端子部２２とこれと対応する３本の入力電源線４とを接続するための３本の電源引込用導電バー５の電源側接続端子５ａが筐体１１の背面から貫通孔を介して外部に突出させて設けられている。この電源引込用導電バー５は前記第１の実施形態と同様に主幹ブレーカ２ａの電源側端子部２２と接続する負荷側接続端子５ｂと前記電源側接続端子５ａを両側に設けたものであり、筐体１１から突出させた部分は導電バーケース６に格納されている。
【００２６】
前記導電バーケース６も図１６に示す第１の実施形態と同様に筐体１１の背面に突出させて取り付けた側面を開口させたケース本体６１と該開口を施蓋するヒンジにより開閉自在としたカバー部材６２とよりなる。そして、ケース本体６１に前記３本の電源引込用導電バー５が上下に平行として電源側接続端子５ａが長さ方向に位置が異なるように上部の電源引込用導電バー５が長く下部に向かうほど短く構成して配置されている。これにより導電バーケース６の下端に設けた入線口６３から各電源側接続端子５ａへの入力電源線４の引込みには他の電源引込用導電バー５が干渉することなく容易に行えるものである。
【００２７】
なお、主幹ブレーカ２の負荷側端子部と母線バー３との接続は、該主幹ブレーカ２を前記した底面にプラグ端子８１を有するプラグインアダプタ８に搭載して、負荷側端子部をプラグインアダプタ８に埋め込んだ導電バーを介してプラグ端子８１に電気的に接続させて、ナイフ状のプラグ端子８１を母線バー３に設けたクリップ状のプラグ端子受３２に嵌合して接続したものとしているが、プラグ端子８１によらずリードバーにより接続してもよい。
【００２８】
また、母線バー３は筐体１１の背面に前後に平行に配設したな３本の積層タイプでもよく、この場合は、分岐用ブレーカは電源側端子部を分岐用ブレーカの前側に設けた横溝に取り付けたクリップ状のプラグイン端子に構成して母線バー３に対して横方向から挟み込むように接続し、他方、主幹ブレーカも負荷側端子部を同様のプラグイン端子に構成して母線バー３に接続して電源側端子部は前記したとおりの電源引込用導電バー５に接続して入力電源線と接続するものとする。
【００３０】
このように構成されたものは、筐体１１内に設置した主幹ブレーカ２と入力電源線４を接続する電源引込用導電バー５の電源側接続端子５ａを筐体１１の外部に突出させて設けたものであるから、この外部に突出させて設けた電源側接続端子５ａに入力電源線４を接続すればよいので、筐体内に端子台を設ける必要がないので筐体全体を大型する必要がないので、スペースの狭い箇所に設置できる利点があり、また、筐体の材料費も削減できるものである。さらに、筐体の外側で接続作業を行うので作業も容易なものである。
【図面の簡単な説明】
【００３１】
【図１】第１の実施形態を示す斜視図である。
【図２】第１の実施形態のブレーカユニットをカバーを開けて示す斜視図である。
【図３】第１の実施形態のブレーカユニットの幹線バーケース本体と短い母線バーを示す斜視図である。
【図４】第１の実施形態のブレーカユニットをプラグ端子部の裏側から見た斜視図である。
【図５】第１の実施形態のブレーカユニットを増設する工程を示す下方から見た斜視図である。
【図６】第１の実施形態のブレーカユニットをカバーを開けてブレーカを外した状態を示す表側から見た斜視図である。
【図７】第１の実施形態のブレーカユニットをカバーを開けてブレーカを外した状態を示す裏側から見た斜視図である。
【図８】第１の実施形態を蓋部を開けたうえ主幹ブレーカの電源側端子カバーを外して下方から示す斜視図である。
【図９】幹線バーケース内と電源引込用導電バーを抽出して示す斜視図である。
【図１０】第１の実施形態を蓋部を開けたうえ主幹ブレーカの電源側端子カバーを外して上方から示す斜視図である。
【図１１】第１の実施形態を蓋部を取り除いて示す概略断面図である。
【図１２】第１の実施形態を蓋部を閉じて示す斜視図である。
【図１３】第１の実施形態を蓋部を開けて示す斜視図である。
【図１４】自立型のユニット取付レールに取り付けた状態を示す表側から見た斜視図である。
【図１５】自立型のユニット取付レールに取り付けた状態を示す裏側から見た斜視図である。
【図１６】電源引込用導電バーと電源引込用導電バーケースを示す斜視図である。
【図１７】第２の実施形態を示す斜視図である。
【図１８】第２の実施形態の母線バーと分岐用ブレーカを示す斜視図である。
【図１９】第２の実施形態の分岐用ブレーカを搭載したプラグインアダプタ示す斜視図である。
【図２０】第２の実施形態の要部を示す斜視図である。
【符号の説明】
【００３２】
１      ブレーカユニット
１１    筐体
１２    導電バー
１３    幹線バーケース
１４    短い母線バー
２      ブレーカ
２ａ    主幹ブレーカ
３      母線バー
４      入力電源線
５      電源引込用導電バー
５ａ    電源側接続端子
６      導電バーケース
７      絶縁隔壁
１００  ユニット取付レール
【図１】
0004674855.tif 000002
【図２】
0004674855.tif 000003
【図３】
0004674855.tif 000004
【図４】
0004674855.tif 000005
【図５】
0004674855.tif 000006
【図６】
0004674855.tif 000007
【図７】
0004674855.tif 000008
【図８】
0004674855.tif 000009
【図９】
0004674855.tif 000010
【図１０】
0004674855.tif 000011
【図１１】
0004674855.tif 000012
【図１２】
0004674855.tif 000013
【図１３】
0004674855.tif 000014
【図１４】
0004674855.tif 000015
【図１５】
0004674855.tif 000016
【図１６】
0004674855.tif 000017
【図１７】
0004674855.tif 000018
【図１８】
0004674855.tif 000019
【図１９】
0004674855.tif 000020
【図２０】
0004674855.tif 000021